(57)【特許請求の範囲】
【請求項１】
産業機械においてメンテナンスを必要とするメンテナンス部分の実際の画像データを外部から取り込むことができる入力部と、
前記メンテナンス部分ごとに前記画像データを格納する記憶部と、
前記記憶部に格納された或るメンテナンス部分の前記画像データを時系列的に表示する表示部とを備え、
前記表示部は、前記産業機械の全体画像を表示し、該全体画像のうち或るメンテナンス部分が選択されたときに、該メンテナンス部分の前記画像データを時系列で表示する産業機械。
【請求項２】
前記入力部は、ユーザが撮像した前記画像データを取り込み、
前記記憶部は、前記画像データの撮像日時あるいは前記画像データの取込み日時と該画像データとを関連付けて格納する、請求項１に記載の産業機械。
【請求項３】
前記表示部は、前記画像データと関連付けられた撮像日時あるいは取込み日時を該画像データとともに表示する、請求項２に記載の産業機械。
【請求項４】
前記表示部は、前記産業機械の全体画像を表示し、該全体画像のうち或るメンテナンス部分が選択されたときに、該メンテナンス部分の前記画像データを前記表示部に表示させる第１タグと該メンテナンス部分のマニュアルを前記表示部に表示させる第２タグとを選択可能に表示し、
前記第１タグが選択された場合、前記表示部は、前記メンテナンス部分の前記画像データを時系列で表示し、
前記第２タグが選択された場合、前記表示部は、前記メンテナンス部分の前記マニュアルを表示する、請求項１から請求項３のいずれか一項に記載の産業機械。
【請求項５】
前記記憶部は、前記産業機械の各メンテナンス部分の初期状態の画像データを格納し、  前記表示部は、前記産業機械の全体画像を表示し、該全体画像のうち或るメンテナンス部分が選択されたときに、該メンテナンス部分の初期状態の画像データと該メンテナンス部分の使用開始後の画像データとを並べて表示する、請求項１から請求項４のいずれか一項に記載の産業機械。
【請求項６】
前記記憶部は、前記画像データに関するユーザのコメントと該画像データとを関連付けて格納し、
前記表示部は、前記コメントを、対応する前記画像データとともに表示する、請求項１から請求項５のいずれか一項に記載の産業機械。
【請求項７】
前記入力部と通信可能に接続され、前記メンテナンス部分を撮像するカメラをさらに備えた、請求項１から請求項６のいずれか一項に記載の産業機械。
【請求項８】
前記表示部は、前記画像データの取り込み時に前記産業機械の全体画像を表示し、
前記記憶部は、前記入力部から取り込んだ前記画像データを、前記表示部において選択されたメンテナンス部分の画像データとして格納する、請求項１から請求項７のいずれか一項に記載の産業機械。
【請求項９】
前記表示部は、前記画像データの取り込み後に、前記産業機械の全体画像と前記入力部から取り込んだ前記画像データとを並べて表示し、
ユーザが前記表示部上の前記画像データをドラッグし、前記産業機械の全体画像のうち対応する前記メンテナンス部分へ該ドラッグした画像データを移動させてドロップしたときに、前記記憶部は、前記表示部上の前記画像データを対応する前記メンテナンス部分の画像データとして格納する、請求項１から請求項７のいずれか一項に記載の産業機械。
【発明の詳細な説明】
【技術分野】
【０００１】
本発明による実施形態は、産業機械に関する。
【背景技術】
【０００２】
射出成形機や工作機械等の産業機械には、数多くの様々なメンテナンスの項目がある。それらのメンテナンスの方法はメンテナンスマニュアルに記載されており、ユーザは、メンテナンスマニュアルを用意して、それを参照しながら産業機械のメンテナンスを行う必要がある。
【先行技術文献】
【特許文献】
【０００３】
【特許文献１】特許第４４７６８９５号明細書
【特許文献２】特許第３７８１７１８号明細書
【発明の概要】
【発明が解決しようとする課題】
【０００４】
メンテナンスマニュアルは、通常、文字、図、写真等を掲載してメンテナンスの方法を示す。
【０００５】
しかし、メンテナンスマニュアルに掲載される図や写真は、その種類の産業機械の一般的な図または写真であり、メンテナンスマニュアルに共通に汎用されるものである。即ち、メンテナンスマニュアルの図や写真は、ユーザが実際に使用している機械固有の状態を示すものではなく、実際の機械の状態を示しているとは言えなかった。従って、従来の産業機械では、ユーザは、使用によって刻々と変化する機械の状態を把握することが困難であり、初期状態からの変化やメンテナンス時期を把握することが困難であった。
【０００６】
そこで、本発明は、上記問題点を解決するためになされたもので、ユーザが初期状態あるいは使用による状態変化を容易に把握することができる産業機械を提供することを目的とする。
【課題を解決するための手段】
【０００７】
本実施形態による産業機械は、産業機械においてメンテナンスを必要とするメンテナンス部分の実際の画像データを外部から取り込むことができる入力部と、メンテナンス部分ごとに画像データを格納する記憶部と、記憶部に格納された或るメンテナンス部分の画像データを時系列的に表示する表示部とを備え、表示部は、産業機械の全体画像を表示し、該全体画像のうち或るメンテナンス部分が選択されたときに、該メンテナンス部分の画像データを時系列で表示する。
【０００８】
入力部は、ユーザが撮像した前記画像データを取り込み、記憶部は、画像データの撮像日時あるいは画像データの取込み日時と該画像データとを関連付けて格納してもよい。
【００１０】
表示部は、画像データと関連付けられた撮像日時あるいは取込み日時を該画像データとともに表示してもよい。
【００１１】
表示部は、産業機械の全体画像を表示し、該全体画像のうち或るメンテナンス部分が選択されたときに、該メンテナンス部分の画像データを表示部に表示させる第１タグと該メンテナンス部分のマニュアルを表示部に表示させる第２タグとを選択可能に表示し、第１タグが選択された場合、表示部は、前記メンテナンス部分の画像データを時系列で表示し、第２タグが選択された場合、表示部は、メンテナンス部分のマニュアルを表示してもよい。
【００１２】
記憶部は、産業機械の各メンテナンス部分の初期状態の画像データを格納し、表示部は、産業機械の全体画像を表示し、該全体画像のうち或るメンテナンス部分が選択されたときに、該メンテナンス部分の初期状態の画像データと該メンテナンス部分の使用開始後の画像データとを並べて表示してもよい。
【００１３】
記憶部は、画像データに関するユーザのコメントと該画像データとを関連付けて格納し、表示部は、コメントを、対応する画像データとともに表示してもよい。
【００１４】
産業機械は、入力部と通信可能に接続され、メンテナンス部分を撮像するカメラをさらに備えてもよい。
【００１５】
表示部は、画像データの取り込み時に産業機械の全体画像を表示し、記憶部は、入力部から取り込んだ画像データを、表示部において選択されたメンテナンス部分の画像データとして格納してもよい。
【００１６】
表示部は、画像データの取り込み後に、産業機械の全体画像と入力部から取り込んだ画像データとを並べて表示し、ユーザが表示部上の画像データをドラッグし、産業機械の全体画像のうち対応するメンテナンス部分へ該ドラッグした画像データを移動させてドロップしたときに、記憶部は、表示部上の画像データを対応するメンテナンス部分の画像データとして格納してもよい。
【図面の簡単な説明】
【００１７】
【図１】第１の実施形態に従った射出成形機１の構成例を示すブロック図。
【図２】制御部８の構成の一例を示す図。
【図３】ＨＭＩ／Ｆ６０の表示部１００のメンテナンス画面を示す図。
【図４】画像データの取り込み画面を示す図。
【図５】第１の実施形態の変形例２に従った射出成形機１の表示部１００の画面を示す図。
【発明を実施するための形態】
【００１８】
以下、図面を参照して本発明に係る実施形態を説明する。本実施形態は、本発明を限定するものではない。
【００１９】
（第１の実施形態）
図１は、第１の実施形態に従った射出成形機１の構成例を示すブロック図である。産業機械１は、射出成形機の他、例えば、工作機械、ダイカストマシン、押出成形機等でもよい。
【００２０】
産業機械としての射出成形機１は、フレーム２と、固定盤３と、移動盤４と、タイバー５と、型締駆動機構６と、射出装置７と、制御部８と、押出機構９と、ヒューマン・マシン・インタフェース６０とを備えている。
【００２１】
フレーム２は、射出成形機１の土台である。固定盤３は、フレーム２上に固定されている。固定盤３には、固定金型１１が取り付けられる。タイバー５の一端は、固定盤３に固定されており、その他端は、支持盤１０に固定されている。タイバー５は、固定盤３から移動盤４を通過して支持盤１０まで延びている。
【００２２】
移動盤４は、フレーム２に設けられたリニアガイド（図示せず）上に載置されている。移動盤４は、タイバー５またはリニアガイドに案内され、固定盤３に接近しあるいは固定盤３から離れるように移動することができる。移動盤４には、移動金型１２が取り付けられる。移動金型１２は、固定金型１１に対向しており、移動盤４とともに固定金型１１へ接近し、固定金型１１に組み合わされる。移動金型１２と固定金型１１とが組み合わされ型閉めされることによって、移動金型１２と固定金型１１との間に製品形状に対応した空間が形成される。
【００２３】
型締駆動機構６は、トグル機構１３と、トグル機構駆動部１４とを備えている。トグル機構駆動部１４は、トグル機構１３を駆動するために、型締サーボモータ２１と、ボールねじ２２と、伝達機構２３とを備えている。ボールねじ２２の先端部には、クロスヘッド１５が取り付けられている。ボールねじ２２が回転することで、クロスヘッド１５が移動盤４に接近し、あるいは、移動盤４から離れるように移動する。伝達機構２３は、型締サーボモータ２１の回転をボールねじ２２に伝達し、クロスヘッド１５を移動させる。
【００２４】
トグル機構駆動部１４がクロスヘッド１５を移動させると、トグル機構１３が作動する。例えば、クロスヘッド１５が移動盤４へ向かって移動すると、移動盤４が固定盤３に向かって移動し、型閉が行われる。逆に、クロスヘッド１５が移動盤４から離れる方向に移動すると、移動盤４が固定盤３から離れる方向に移動し、型開が行われる。
【００２５】
押出機構９は、成形後の製品を移動金型１２から取り外すために、押出サーボモータ７１と、ボールねじ７２と、伝達機構７３とを備えている。ボールねじ７２の先端部は、移動金型１２の内面に貫通している。ボールねじ７２が回転することによって、ボールねじ７２が移動金型１２の内面に付着した製品を押し出す。伝達機構７３は、押出サーボモータ７１の回転をボールねじ７２に伝達し、ボールねじ７２を図１の左右方向に移動させる。
【００２６】
射出装置７は、加熱バレル（バンドヒータ）４１と、スクリュ４２と、計量部４３と、射出装置駆動部４４とを備えている。加熱バレル４１は、溶融材料を金型内に注入するノズル４１ａを備えるとともに、ホッパ４５に接続されている。スクリュ４２は、加熱バレル４１の内部で移動可能に設けられている。
【００２７】
計量部４３は、計量サーボモータ４６と、計量サーボモータ４６の回転をスクリュ４２に伝える伝達機構４７とを有する。計量サーボモータ４６が駆動され、加熱バレル４１内でスクリュ４２が回転されると、成形材料の樹脂がホッパ４５から加熱バレル４１内に導入される。導入された樹脂は、加熱されかつ混練されながら加熱バレル４１の先端側に送られる。樹脂は、溶融されて加熱バレル４１の先端部分に貯えられる。成形材料は樹脂に限定されることはなく、金属、ガラス、ゴム、炭素繊維を含む炭化化合物など成形材料として用いることができるものであればよい。
【００２８】
射出装置駆動部４４は、射出サーボモータ５１と、ボールねじ５２と、伝達機構５３とを有する。ボールねじ５２が回転することで、加熱バレル４１内でスクリュ４２が図１の左右方向に移動する。伝達機構５３は、射出サーボモータ５１の回転をボールねじ５２に伝達する。これにより、射出サーボモータ５１が回転されると、スクリュ４２が移動する。スクリュ４２が加熱バレル４１の先端部分に貯えられた成形材料をノズル４１ａから押し出すことによって、成形材料がノズル４１ａから射出される。
【００２９】
ヒューマン・マシン・インタフェース（ＨＭＩ／Ｆ）６０は、射出成形機１に関する様々な情報を表示する。ＨＭＩ／Ｆ６０は、例えば、表示部およびキーボードを備えてもよく、あるいは、タッチパネル式ディスプレイであってもよい。オペレータは、ＨＭＩ／Ｆ６０を通じて、射出成形機１の動作に関する指令等の設定を入力することができる。また、ユーザは、ＨＭＩ／Ｆ６０を通じて、メンテナンスを必要とするメンテナンス部分の画像データ、あるいは、メンテナンスマニュアルを表示させることができる。メンテナンス部分は、射出成形機１を構成する部品であり、使用により摩耗、変形、材料の付着等によって変化する部分である。従って、メンテナンス部分は、定期的に交換、清掃、修理等のメンテナンスを必要とする。画像データは、カメラなどで撮像されたメンテナンス部分の実際の写真データであり、データ形式は任意でよい。
【００３０】
制御部８は、射出工程中に各種センサ（図示せず）から受け取るセンサ情報を監視し、そのセンサ情報から得られた数値が予め設定された閾値を超えないように射出装置７を制御する。また、制御部８は、ＨＭＩ／Ｆ６０を通じて、ユーザの指令を受けて必要なデータを表示部に表示させる。
【００３１】
図２は、制御部８の構成の一例を示す図である。制御部８は、情報処理部６１と、設定部６２と、記憶部６３と、射出装置制御部６４と、入出力部６５とを含む。
【００３２】
演算処理部６１は、各種センサから得られた検出値と設定部６２に格納された設定値とを比較しながら、型締力、加熱バレル４１の温度、射出圧力を制御する。また、演算処理部６１は、制御部８の各構成要素の制御も行う。
【００３３】
設定部６２は、ＨＭＩ／Ｆ６０を介して入力された情報を格納する。例えば、設定部６２は、オペレータから入力された最大射出圧力の設定値、型締力の設定値、動作モードの設定等に関する情報を格納する。
【００３４】
記憶部６３は、射出成形機１を動作させるためのプログラム、上記設定値、各種センサから得られた検出値等の情報を格納する。また、記憶部６３は、メンテナンスに関する情報を格納する。例えば、記憶部６３は、メンテナンスマニュアル、メンテナンス部分の画像データを格納する。記憶部６３は、画像データを産業機械１のメンテナンス部分ごとに分類して格納している。さらに、記憶部６３は、画像データが撮像された日時あるいは画像データが入出力部６５から取り込まれた日時と関連付けて格納している。これらの画像データは、ＨＭＩ／Ｆ６０の表示部に表示され、ユーザがメンテナンスを実行する際に参照される。画像データの表示については図３（Ａ）、図３（Ｂ）を参照して後で説明する。
【００３５】
射出装置制御部６４は、射出サーボモータ５１の駆動を制御する。射出装置制御部６４は、例えば射出サーボモータ５１の駆動を制御することで、射出装置７の射出圧力を制御する。
【００３６】
入出力部６５は、外部からの情報を制御部８へ取り込み、あるいは、制御部８の情報を外部へ出力するように構成されている。入出力部６５は、他の端末と有線または無線で通信可能に接続され得る。入出力部６５と他の端末との通信接続は、特に限定しないが、例えば、ＵＳＢ、無線ＬＡＮ（Local Area Network）、有線ＬＡＮ、Ｂｌｕｅｔｏｏｔｈ（登録商標）等でよい。これにより、入出力部６５は、射出成形機１のメンテナンス部分の実際の画像データを外部から取り込むことができる。例えば、画像データは、ユーザがカメラまたは端末のカメラ機能を用いてメンテナンス部分の画像を撮像して得られる。ユーザは、この画像データをカメラや端末から射出成形機１へ送信する。入出力部６５は、ユーザの端末等から送信されたメンテナンス部分の画像データを受け取り、記憶部６３へ格納する。
【００３７】
より詳細には、ユーザは、定期的に各メンテナンス部分の実際の画像をカメラや端末で撮像し、その画像データを射出成形機１へ送信する。このとき、カメラまたは端末は、画像データとともに、その画像データの撮像日時を送信してもよい。制御部８は、画像データを受け取ると、撮像日時あるいは受取り日時とその画像データとを関連付けて記憶部６３に格納する。このとき、ユーザは、その画像データに対応するメンテナンス部分を、ＨＭＩ／Ｆ６０の表示部上で選択する。制御部８は、ユーザによって選択されたメンテナンス部分にその画像データを分類する。これにより、記憶部６３は、射出成形機１の複数のメンテナンス部分のそれぞれについて、画像データの履歴を保存することができる。尚、メンテナンス部分の選択および画像データの分類については、後で「画像データの取り込み」において説明する。
【００３８】
このように、記憶部６３が各メンテナンス部分の変化を画像データとして格納しているので、射出成形機１の各メンテナンス部分が使用により徐々に劣化しても、ユーザは、図３（Ｂ）に示すように、画像データの履歴を参照することによって、メンテナンス部分の変化を容易に把握することができる。その結果、ユーザは、メンテナンス部分の修理時期または交換時期を比較的容易に判断することができる。尚、ユーザがメンテナンス部分を撮像する周期は、特に限定しない。従って、例えば、ユーザがメンテナンス部分を撮像する周期は、メンテナンス部分に依って相違させてもよく、あるいは、射出成形機１の使用時間によって決定してもよい。好ましくは、メンテナンス部分を撮像する周期は、メンテナンスマニュアルで規定する。
【００３９】
図３（Ａ）および図３（Ｂ）は、ＨＭＩ／Ｆ６０の表示部１００のメンテナンス画面を示す図である。表示部１００は、射出成形機１の動作工程、各種センサから受け取るセンサ情報等を表示する。その他、表示部１００は、ユーザの指令を受けて必要なデータを表示する。例えば、メンテナンス時には、表示部１００は、ユーザの指令を受けて、図３（Ａ）に示すメンテナンス画面を表示する。
【００４０】
メンテナンス画面では、まず、表示部１００は、図３（Ａ）に示すように射出成形機１全体の図または写真を表示する。図３（Ａ）の画面では、射出成形機１全体の図または写真１０１の他、ユーザのコメント１０３、現在の日時１０５（年、月、日、時間）、マニュアル表示ボタン１０７等が表示されている。
【００４１】
次に、ユーザが表示部１００に示された射出成形機１のうち或るメンテナンス部分を選択すると、表示部１００は、選択されたメンテナンス部分の画像データを時系列で表示する。図３（Ｂ）は、或るメンテナンス部分の実際の画像データの履歴を表示している。例えば、ＩＭＧ０〜ＩＭＧ３は、同一メンテナンス部分の画像データであり、ＩＭＧ０、ＩＭＧ１、ＩＭＧ２、ＩＭＧ３と古い画像データから順番に時系列的に表示されている。即ち、画像データＩＭＧ０が最も古い画像データであり、初期状態に近いメンテナンス部分の画像データである。画像データＩＭＧ１が画像データＩＭＧ０の次に古い画像データであり、画像データＩＭＧ２が画像データＩＭＧ１の次に古い画像データであり、並びに、画像データＩＭＧ３が最も新しい画像データである。
【００４２】
また、表示部１００は、画像データＩＭＧ０〜ＭＩＭＧ３と関連付けられた画像データＩＭＧ０〜ＩＭＧ３のそれぞれの撮像日時あるいは取込み日時を画像データＩＭＧ０〜ＩＭＧ３ともに表示している。
【００４３】
さらに、表示部１００は、ユーザのコメント欄１０３を、対応する画像データＩＭＧ０〜ＩＭＧ３とともに表示してもよい。ユーザのコメントは、画像データＩＭＧ０〜ＩＭＧ３に関連付けられて記憶部６３に格納されている。
【００４４】
このように、表示部１００が単一画面で複数の画像データを時系列で表することによって、ユーザは、メンテナンス部分の状態変化（例えば、変形、摩耗、樹脂の付着等）を容易に把握することができる。その結果、ユーザは、メンテナンス部分の交換または修理を適切な時期に行うことができ、射出成形機１の故障や過剰なメンテナンスを抑制することができる。
【００４５】
画像ＩＭＧ０は、初期状態のメンテナンス部分の画像データであってもよい。この場合、記憶部６３は、メンテナンス部分の初期状態の画像データを予め格納する。そして、表示部１００は、該メンテナンス部分が選択されたときに、メンテナンス部分の初期状態の画像データＩＭＧ０と該メンテナンス部分の使用開始後の画像データＩＭＧ１〜ＩＭＧ３とを並べて表示する。画像データＩＭＧ１〜ＩＭＧ３は、例えば、直近に撮像した３枚の画像データである。これにより、ユーザは、メンテナンス部分の現状を初期状態と比較しながら確認することができる。
【００４６】
また、本実施形態によれば、ユーザは、メンテナンス部分の部品交換時期を容易に判断することができるだけでなく、メンテナンス部分の部品の交換前後の状態も画像データにて確認することができる。さらに、記憶部６３が画像データの履歴を保存するので、メンテナンス日誌としても利用可能である。この場合、ユーザが他のユーザに交替しても、他のユーザは、表示部１００で画像データを参照すれば、射出成形機１の各メンテナンス部分の状態や交換履歴を容易に把握することができる。
【００４７】
また、複数の産業機械がネットワークで接続されている場合、ホストコンピュータ（図示せず）が複数の産業機械の画像データを一括管理してもよい。この場合、各産業機械は、自己の画像データを格納しつつ、ホストコンピュータへ画像データを送信する。これにより、ユーザは、ホストコンピュータにおいて、複数の産業機械の画像データを参照し、それらのメンテナンス部分の状態を容易に把握することができる。
【００４８】
また、本実施形態によれば、画像データは、射出成形機１に配備された記憶部６３に格納され、かつ、射出成形機１に配備された表示部１００に表示される。従って、ユーザは、作業現場でメンテナンス部分の過去の履歴を確認することができる。さらに、カメラやカメラ付き端末は必要となるものの、メンテナンスのためにメンテナンスマニュアルを表示させる他の端末は不要となる。
【００４９】
尚、図３（Ｂ）では、表示部１００は、１つの画面を４分割して４つの画像データを同時に表示させている。しかし、表示部１００は、他の方法で画像データの履歴を表示させてもよい。例えば、表示部１００は、１つの画面に１の画像データを表示し、ユーザが画面を縦方向または横方向にスクロールしたときに、画像データの履歴を時系列順に表示してもよい。
【００５０】
（画像データの取り込み）
ユーザの端末から画像データを取り込む場合、制御部８は、取り込んだ画像データを対応するメンテナンス部分へ分類して記憶部６３へ格納する必要がある。例えば、ユーザが端末から画像データを送信する際に、制御部８は、画像データの取り込み画面を表示部１００に表示する。画像データの取り込み画面は、図３（Ａ）と同様に射出成形機１の図または写真１０１の画面でよい。表示部１００は、射出成形機１の図または写真の画面において、画像データに対応するメンテナンス部分を選択可能にする。ユーザは、送信予定の画像データに対応するメンテナンス部分を表示部１００上で選択し、その後、端末から画像データを送信する。これにより、制御部８は、受け取った画像データを、対応するメンテナンス部分に分類して記憶部６３に格納することができる。
【００５１】
代替的に、制御部８は、画像データを取り込んだ後に、その画像データに対応するメンテナンス部分を選択可能にしてもよい。例えば、ユーザが端末から画像データを制御部８へ送信する。制御部８は、画像データを受け取ると、画像データの登録画面を表示部１００に表示させる。このとき、表示部１００は、画像データの登録画面として、図４に示すように、射出成形機１の全体の図または写真１０１と、外部から取り込んだ画像データＩＭＧ１０〜ＩＭＧ１２とを同一画面に並べて表示する。図４は、画像データの取り込み画面を示す図である。
【００５２】
ユーザは、表示部１００上の画像データＩＭＧ１０〜ＩＭＧ１２のいずれかをドラッグし、射出成形機１の全体の図または写真１０１のうち対応するメンテナンス部分へ、ドラッグした画像データを移動させてドロップする。このドラッグ・アンド・ドロップの作業は、画像データＩＭＧ１０〜ＩＭＧ１２のそれぞれについて実行される。これにより、記憶部６３は、表示部１００上の画像データＩＭＧ１０〜ＩＭＧ１２を、対応するメンテナンス部分の画像データとして格納することができる。
【００５３】
（変形例１）
上記実施形態による射出成形機１は、図２の破線で示すように、カメラ９０をさらに備えてもよい。カメラ９０は、メンテナンス部分を撮像するために射出成形機１のフレーム２に固定されており、入出力部６５と通信可能に接続されている。カメラ９０のシャッタが押されると、カメラ９０は、メンテナンス部分の撮像および入出力部６５への画像データの送信を自動で実行する。よって、ユーザが定期的にカメラ９０のシャッタを押すだけで、メンテナンス部分の画像データは記憶部６３に定期的に自動で格納される。
【００５４】
複数のカメラ９０が複数のメンテナンス部分のそれぞれに対応して設けられていることが好ましい。この場合、複数のカメラ９０は、画像データとともに自己の識別子を制御部８へ送信する。これにより、制御部８は、画像データを撮像したカメラ９０、および、画像データに対応するメンテナンス部分を特定することができる。従って、制御部８は、画像データをメンテナンス部分ごとに自動で分類して記憶部６３へ格納することができる。
【００５５】
（変形例２）
図５は、第１の実施形態の変形例２に従った射出成形機１の表示部１００の画面を示す図である。
【００５６】
変形例２では、表示部１００は、図３（Ａ）に示す射出成形機１の或るメンテナンス部分が選択されたときに、そのメンテナンス部分の画像データとメンテナンス部分のマニュアルとの選択画面を表示する。このとき、例えば、図５に示すように、表示部１００は、メンテナンス部分の画像データを表示させる第１タグＴａｇ１とメンテナンス部分のマニュアルを表示させる第２タグＴａｇ２とを選択可能に表示する。
【００５７】
ユーザが第１タグＴａｇ１を選択した場合、図３（Ｂ）に示すように、表示部１００は、メンテナンス部分の画像データの履歴を表示すればよい。一方、ユーザが第１タグＴａｇ２を選択した場合、表示部１００は、メンテナンス部分のマニュアルを表示する。この場合、マニュアルのデータは、メンテナンス部分ごとに分割されて、図３（Ａ）に示す射出成形機１の画面のメンテナンス部分にリンクしている必要がある。尚、マニュアルは、メンテナンス部分の取り扱い説明、メンテナンス方法、メンテナンス周期等の情報を記載している。
【００５８】
変形例２によれば、ユーザは、図５に示す同一画面からメンテナンス部分の画像データの履歴とメンテナンス部分のマニュアルとの両方へ容易にアクセスすることができる。また、この場合、ユーザは、マニュアルを検索する必要が無く、表示部１００の画面上のメンテナンス部分をタッチまたはクリックすれば、そのメンテナンス部分のマニュアルに容易にアクセスすることができる。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１・・・産業機械、１０・・・メイン制御部、２０・・・表示操作部、３０・・・サーボ制御部、４０・・・電流制御部、５０・・・モータ
【図１】
0006479481.tif 000002
【図２】
0006479481.tif 000003
【図３】
0006479481.tif 000004
【図４】
0006479481.tif 000005
【図５】
0006479481.tif 000006